(57)【要約】      （修正有）【課題】  撮影画像に適した縮尺を自動的に選択して地図をプリントすること。【解決手段】  撮影画像及び当該撮影画像に関連付けられた撮影位置情報を取得する画像取得部１１と、地図画像を撮影画像とともに所定のプリント媒体にプリントするプリント部２２と、地図画像の縮尺を撮影位置情報に基づいて決定する縮尺決定部１９と、決定した縮尺の地図画像を撮影画像とともにプリント部２２にプリントさせる制御部１０とを備える構成にした。例えば、撮影位置から所定の基準位置までの距離、撮影位置が特定の国の内外いずれであるか、あるいは、取得した複数の撮影画像間の撮影位置の差に基づいて縮尺を決定する。撮影画像を撮影したときの被写体距離に基づいて縮尺を決定するようにしてもよい。【選択図】  図１
2006033274.tif 000002
【特許請求の範囲】
【請求項１】
被写体が撮影された撮影画像及び該撮影画像に関連付けられた撮影位置情報を取得する取得手段と、
前記撮影画像とともにプリントする地図画像の縮尺を前記撮影位置情報に基づいて決定する縮尺決定手段と、
決定した縮尺の地図画像を前記撮影画像とともに所定のプリント手段により所定のプリント媒体にプリントさせる制御手段と、
を備えたことを特徴とするプリント装置。
【請求項２】
前記縮尺決定手段は、撮影位置から所定の基準位置までの距離に基づいて縮尺を決定することを特徴とする請求項１に記載のプリント装置。
【請求項３】
前記縮尺決定手段は、撮影位置が特定の国の内外いずれであるかに基づいて縮尺を決定することを特徴とする請求項１に記載のプリント装置。
【請求項４】
前記取得手段は、複数の撮影画像を取得し、
前記縮尺決定手段は、取得した複数の撮影画像間の撮影位置の差に基づいて縮尺を決定することを特徴とする請求項１に記載のプリント装置。
【請求項５】
被写体が撮影された撮影画像及び該撮影画像に関連付けられた被写体距離情報を取得する取得手段と、
前記撮影画像とともにプリントする地図画像の縮尺を前記被写体距離情報に基づいて決定する縮尺決定手段と、
決定した縮尺の地図画像を前記撮影画像とともに所定のプリント手段により所定のプリント媒体にプリントさせる制御手段と、
を備えたことを特徴とするプリント装置。
【請求項６】
前記縮尺決定手段によって縮尺を自動的に決定するか否かを設定するとともに、前記縮尺を自動的に決定しない設定をした場合又は自動的に決定した縮尺を訂正する場合に縮尺の指定を入力する操作手段を備えたことを特徴とする請求項１乃至５のいずれかに記載のプリント装置。
【請求項７】
被写体が撮影された撮影画像及び該撮影画像に関連付けられた撮影位置情報を取得する取得手段と、
前記撮影位置情報に対応する第１の地図画像と前記撮影位置情報に対応する第２の地図画像であって前記第１の地図画像の縮尺よりも小さな縮尺の第２の地図画像とを前記撮影画像とともに所定のプリント手段により所定のプリント媒体にプリントさせる制御手段と、
を備えたことを特徴とするプリント装置。
【請求項８】
被写体が撮影された撮影画像及び該撮影画像に関連付けられた撮影位置情報を取得するステップと、
前記撮影画像とともにプリントする地図画像の縮尺を前記撮影位置情報に基づいて決定するステップと、
決定した縮尺の地図画像を前記撮影画像とともに所定のプリント手段により所定のプリント媒体にプリントするステップと、
を含むことを特徴とするプリント方法。
【請求項９】
被写体が撮影された撮影画像及び該撮影画像に関連付けられた被写体距離情報を取得するステップと、
前記撮影画像とともにプリントする地図画像の縮尺を前記被写体距離情報に基づいて決定するステップと、
決定した縮尺の地図画像を前記撮影画像とともに所定のプリント手段により所定のプリント媒体にプリントするステップと、
を含むことを特徴とするプリント方法。
【請求項１０】
被写体が撮影された撮影画像及び該撮影画像に関連付けられた撮影位置情報を取得するステップと、
前記撮影位置情報に対応する第１の地図画像と前記撮影位置情報に対応する第２の地図画像であって前記第１の地図画像の縮尺よりも小さな縮尺の第２の地図画像とを前記撮影画像とともに所定のプリント手段により所定のプリント媒体にプリントさせるステップと、
を含むことを特徴とするプリント方法。
【請求項１１】
請求項８乃至１０のいずれかに記載のプリント方法の各ステップをコンピュータに実行させるプログラム。
【発明の詳細な説明】
【技術分野】
【０００１】
本発明はプリント装置、プリント方法及びプログラムに係り、特に被写体を撮影した撮影画像とともに撮影画像の撮影位置に対応した地図をプリントするプリント装置、プリント方法及びプログラムに関する。
【背景技術】
【０００２】
従来、撮影画像と撮影位置情報とを取得し、撮影位置情報に基づいて地図を検索し、検索した地図を撮影画像とともにプリントするようにしたものが知られている（特許文献１を参照）。
【０００３】
例えば、ユーザが撮影画像を選択し、「地図プリント」の実行を選択して、縮尺を指定する。そうすると、ユーザが選択した撮影画像とともにその撮影画像に関連する地図が指定した縮尺でプリントされる。
【特許文献１】特開２００１−８１４０号公報
【発明の開示】
【発明が解決しようとする課題】
【０００４】
しかし、様々な場所で撮影した各撮影画像ごとに地図の縮尺を指定するのは煩雑である。例えば、ユーザが国内でウォーキングを楽しみながら撮影した場合と、ユーザが海外旅行を楽しみながら撮影した場合とでは、プリントするのに適当な地図の縮尺は異なるので、いちいち縮尺を指定しなければならない。一方で、煩雑な縮尺の指定操作を省略するために縮尺を固定にしてしまうと、撮影経路によっては不適当な縮尺の地図がプリントされてしまうことになる。
【０００５】
本発明はこのような事情に鑑みてなされたもので、撮影画像に適した縮尺を自動的に選択して地図を撮影画像とともにプリントすることができるプリント装置、プリント方法及びプログラムを提供することを目的とする。
【課題を解決するための手段】
【０００６】
前記目的を達成するために、請求項１に記載の発明は、被写体が撮影された撮影画像及び該撮影画像に関連付けられた撮影位置情報を取得する取得手段と、前記撮影画像とともにプリントする地図画像の縮尺を前記撮影位置情報に基づいて決定する縮尺決定手段と、決定した縮尺の地図画像を前記撮影画像とともに所定のプリント手段により所定のプリント媒体にプリントさせる制御手段とを備えた構成となっている。
【０００７】
この構成によって、被写体が撮影された撮影画像及び撮影画像に関連付けられた撮影位置情報が取得され、撮影画像とともにプリントされる地図画像の縮尺が撮影位置情報に基づいて決定されて、縮尺を指定しなくても、適当な縮尺の地図画像が撮影画像とともにプリントされることになる。
【０００８】
請求項２に記載の発明は、請求項１に記載の発明において、前記縮尺決定手段は、撮影位置から所定の基準位置までの距離に基づいて縮尺を決定する構成となっている。
【０００９】
請求項３の発明は、請求項１に記載の発明において、前記縮尺決定手段は、撮影位置が特定の国の内外いずれであるかに基づいて縮尺を決定する構成となっている。
【００１０】
請求項４に記載の発明は、請求項１に記載の発明において、前記取得手段は、複数の撮影画像を取得し、前記縮尺決定手段は、取得した複数の撮影画像間の撮影位置の差に基づいて縮尺を決定する構成となっている。
【００１１】
請求項５に記載の発明は、被写体が撮影された撮影画像及び該撮影画像に関連付けられた被写体距離情報を取得する取得手段と、前記撮影画像とともにプリントする地図画像の縮尺を前記被写体距離情報に基づいて決定する縮尺決定手段と、決定した縮尺の地図画像を前記撮影画像とともに所定のプリント手段により所定のプリント媒体にプリントさせる制御手段とを備えた構成となっている。
【００１２】
この構成によって、被写体が撮影された撮影画像及び該撮影画像に関連付けられた被写体距離情報が取得され、撮影画像とともにプリントされる地図画像の縮尺が被写体距離情報に基づいて決定されて、縮尺を指定しなくても、適当な縮尺の地図画像が撮影画像とともにプリントされることになる。
【００１３】
請求項６に記載の発明は、請求項１乃至５のいずれかに記載の発明において、前記縮尺決定手段によって縮尺を自動的に決定するか否かを設定するとともに、前記縮尺を自動的に決定しない設定をした場合又は自動的に決定した縮尺を訂正する場合に縮尺の指定を入力する操作手段を備えた構成となっている。
【００１４】
請求項７に記載の発明は、被写体が撮影された撮影画像及び該撮影画像に関連付けられた撮影位置情報を取得する取得手段と、前記撮影位置情報に対応する第１の地図画像と前記撮影位置情報に対応する第２の地図画像であって前記第１の地図画像の縮尺よりも小さな縮尺の第２の地図画像とを前記撮影画像とともに所定のプリント手段により所定のプリント媒体にプリントさせる制御手段とを備えた構成となっている。
【００１５】
この構成によって、被写体が撮影された撮影画像及び撮影画像に関連付けられた撮影位置情報が取得され、撮影位置情報に対応する第１の地図画像と撮影位置情報に対応する第２の地図画像であって第１の地図画像の縮尺よりも小さな縮尺の第２の地図画像とが、縮尺を指定しなくても、撮影画像とともにプリントされることになり、縮尺の大きな第１の地図画像による撮影位置の大まかな把握と縮尺の小さな第２の地図画像による撮影位置の詳細な把握とが可能になる。
【００１６】
請求項８に記載の発明は、被写体が撮影された撮影画像及び該撮影画像に関連付けられた撮影位置情報を取得するステップと、前記撮影画像とともにプリントする地図画像の縮尺を前記撮影位置情報に基づいて決定するステップと、決定した縮尺の地図画像を前記撮影画像とともに所定のプリント手段により所定のプリント媒体にプリントするステップとを含むプリント方法である。
【００１７】
請求項９に記載の発明は、被写体が撮影された撮影画像及び該撮影画像に関連付けられた被写体距離情報を取得するステップと、前記撮影画像とともにプリントする地図画像の縮尺を前記被写体距離情報に基づいて決定するステップと、決定した縮尺の地図画像を前記撮影画像とともに所定のプリント手段により所定のプリント媒体にプリントするステップとを含むプリント方法である。
【００１８】
請求項１０に記載の発明は、被写体が撮影された撮影画像及び該撮影画像に関連付けられた撮影位置情報を取得するステップと、前記撮影位置情報に対応する第１の地図画像と前記撮影位置情報に対応する第２の地図画像であって前記第１の地図画像の縮尺よりも小さな縮尺の第２の地図画像とを前記撮影画像とともに所定のプリント手段により所定のプリント媒体にプリントさせるステップとを含むプリント方法である。
【００１９】
請求項１１に記載の発明は、請求項８乃至１０のいずれかに記載のプリント方法の各ステップをコンピュータに実行させるプログラムである。
【発明の効果】
【００２０】
本発明によれば、撮影画像に適した縮尺を自動的に選択して地図を撮影画像とともにプリントすることができる。
【発明を実施するための最良の形態】
【００２１】
以下、添付図面に従って、本発明を実施するための最良の形態について詳細に説明する。
【００２２】
図１は、本発明を適用したプリント装置１の概略構成を示すブロック図である。プリント装置１は、主として、制御部１０、画像取得部１１、撮影位置情報取得部１２、撮影日時情報取得部１３、被写体距離情報取得部１４、表示部１６、操作部１７、グループ処理部１８、縮尺決定部１９、地図情報検索部２０、地図情報データベース（ＤＢ）２１、及び、プリント部２２によって構成されている。
【００２３】
制御部１０は、ＣＰＵ（Central Processing Unit）からなり、プリント装置１の各部を統括して制御する。
【００２４】
画像取得部１１は、被写体が撮影された複数の撮影画像を取得する。撮影画像の取得態様は、特には限定されないが、例えば、第１に、撮影装置４によって画像が記録されたメモリカードその他の着脱可能な外部の記録媒体から撮影画像を読み出す態様、第２に、パーソナルコンピュータ（「ＰＣ」ともいう）等からインターネットその他のネットワークを介して撮影画像を受信する態様、第３に、撮影装置４と直接的に無線又は有線で通信して撮影画像を取得する態様がある。以下の説明では、着脱可能な外部の記録媒体から撮影画像を読み出す態様を例に説明する。
【００２５】
また、撮影画像の取得は、例えば、図２に示すような画像３００にヘッダ３１０を付加した画像ファイル３０を取得することにより行う。この画像ファイル３０は、Ｅｘｉｆ（Exchangeable image file format）というファイル形式で形成されており、ヘッダ３１０には、撮影位置情報３１１、撮影日時情報３１２、及び、被写体距離情報３１３が記述されている。撮影位置情報３１１は、撮影装置４がＧＰＳ（Global Positioning System）を利用して得た位置情報やＵＷＢ（Ultra Wide Band）無線システムを利用して得た位置情報である。撮影日時情報３１２は、撮影装置４が画像を撮影した年月日及び時分秒である。被写体距離情報３１３は、画像３００を撮影したときの被写体距離を示す。
【００２６】
撮影位置情報取得部１２は、画像ファイル３０のヘッダ３１０から撮影位置情報３１１を取得する。また、撮影日時情報取得部１３は、画像ファイル３０のヘッダ３１０から撮影日時情報３１２を取得する。また、被写体距離情報取得部１４は、画像ファイル３０のヘッダ３１０から被写体距離情報３１３を取得する。
【００２７】
なお、本発明は、図２に示すような画像３００にヘッダ３１０を付加した画像ファイル３０を画像取得部１１が取得する場合に特に限定しない。例えば、画像３０を含む画像ファイルと、この画像ファイルと関連付けられた別のファイルであって撮影位置情報３１１、撮影日時情報３１２及び被写体距離情報３１３を含む撮影情報ファイル（図示を省略）を取得するようにしてもよい。このような場合、撮影位置情報取得部１２、撮影日時情報取得部１３及び被写体距離情報取得部１４は、それぞれ撮影位置情報３１１、撮影日時情報３１２及び被写体距離情報３１３を、撮影情報ファイルから取得する。
【００２８】
表示部１６は、例えば液晶ディスプレイ（ＬＣＤ）からなり、撮影画像の一覧表示やメッセージの表示などの各種の表示を行う。
【００２９】
操作部１７は、例えばキーボードからなり、複数の撮影画像の中からプリント対象の画像を選択する操作、複数の撮影画像を自動的にグループ化するか否かを設定する操作、自動的にグループ化しない設定をした場合あるいは自動的にグループ化された結果を訂正する場合にグループの指定を入力する操作、地図画像の縮尺を自動的に決定するか否かを設定する操作、自動的に縮尺を決定しない設定をした場合あるいは自動的に決定した縮尺を訂正する場合に縮尺の指定を入力する操作、その他の操作を行うものである。
【００３０】
グループ処理部１８は、複数の撮影画像を自動的にグループ化する処理を行う。撮影画像のグループ化の態様には各種あり、第１に、撮影位置情報に基づいてグループ化する態様、第２に、撮影日時情報に基づいてグループ化する態様、第３に、撮影画像同士の類似度を算出してグループ化する態様、及び、これらを組み合わせた態様がある。
【００３１】
縮尺決定部１９は、プリント対象の撮影画像とともにプリントする地図画像の縮尺を決定する。なお、地図画像は、地図情報ＤＢ２１に各種の縮尺（例えば、1/21000、1/75000、1/15万、1/30万、1/90万）で記憶されている。縮尺決定部１９は、地図情報ＤＢ２１から検索可能な地図情報の縮尺（例えば、1/21000、1/75000、1/15万、1/30万、1/90万）の中から、撮影画像に適した縮尺を決定する。ここで、「縮尺」は、地図画像の寸法を地上での実際の寸法で除した値（縮小比）である。
【００３２】
縮尺を決定する態様（縮尺決定態様）には以下のように各種ある。
【００３３】
第１に、撮影位置から所定の基準位置までの距離の大小に基づいて縮尺を決定する態様がある。具体的には、撮影位置から基準位置までの距離が大きいほど、より小さな縮尺（例えば1/30万）の地図画像を用い、撮影位置から基準位置までの距離が小さいほど、より大きな縮尺（例えば1/75000）の地図画像を用いる。ここで、基準位置は、例えば、写真プリントを注文したユーザの住所や、ユーザが指定した特定の地点である。基準位置の指定は、ユーザが撮影装置４に予め登録しておき、写真プリントの注文時にプリント装置１が撮影装置４から外部記録媒体を介して取得する場合や、写真プリントの注文時にプリント装置１の操作部１７を用いて入力する場合がある。
【００３４】
第２に、撮影位置が特定の国の内外いずれであるかに基づいて縮尺を決定する態様がある。例えば、日本の在内者がイタリアを旅行して撮影した撮影画像をプリントする場合には、日本の在内者が日本で撮影した撮影画像をプリントする場合と比較して、縮尺をより小さくする。あるいは、日本の在内者がイタリアを旅行して撮影した撮影画像をプリントする場合にはイタリア全図を選択する一方で、日本の在内者が日本で撮影した撮影画像をプリントする場合には日本全図ではなくて撮影位置が属する一地域を示す地図画像を選択する。
【００３５】
第３に、複数の撮影画像間の撮影位置の差に基づいて縮尺を決定する態様がある。例えば、図３に示すように、撮影装置４が生成した第１の撮影画像３００ａ、第２の撮影画像３００ｂ及び第３の撮影画像３００ｃをそれぞれ含む３つの画像ファイル３０ａ、３０ｂ、３０ｃを取得し、第１の画像ファイル３０ａのヘッダ３１０ａから抽出した撮影位置情報３１１、第２の画像ファイル３０ｂのヘッダ３１０ｂから抽出した撮影位置情報３１１、及び、第３の画像ファイル３０ｃのヘッダ３１０ｃから抽出した撮影位置情報３１１の互いの差に基づいて地図画像２１１の縮尺を決定する。
【００３６】
第４に、撮影画像の被写体距離情報３１３に基づいて縮尺を決定する態様がある。
【００３７】
地図情報検索部２０は、プリント対象の画像の撮影位置情報３１１に対応する地図画像２１１を、地図情報ＤＢ２１から検索する。
【００３８】
地図情報ＤＢ２１は、例えば光ディスクからなり、国内外の地図情報を記憶する。地図情報には、地図画像、地図画像と経緯度との対応関係を示す情報、及び、ランドマークの位置情報が含まれる。また、複数の縮尺の地図画像を互いに関連付けて管理している。
【００３９】
プリント部２２は、プリント対象の画像とともにその撮影位置を示す地図画像２１１を所定のプリント媒体にプリントする。
【００４０】
制御部１０は、縮尺決定部１９によって決定した縮尺の地図画像に撮影位置を示すポインタを埋め込んで撮影画像とともにプリント部２２によりプリントさせる。
【００４１】
図４（ａ）は、第１の縮尺（例えば1/75000）の地図画像２１１が裏面にプリントされた写真プリント２２１のその裏面を示す。図４（ｂ）は第１の縮尺よりも小さな第２の縮尺（例えば1/30万）の地図画像２１２が裏面にプリントされた写真プリント２２２のその裏面を示す。これらの写真プリント２２１、２２２の表面には撮影画像がプリントされている。
【００４２】
図４（ａ）に示す写真プリント２２１の地図画像２１１は、表面にプリントした撮影画像の撮影位置を示すポインタ１２１２と、同一グループに属する他の撮影画像の撮影位置を示すポインタ１２１１、１２１３とが埋め込まれている。同様に、図４（ｂ）に示す写真プリント２２２の地図画像２１２は、表面にプリントした撮影画像の撮影位置を示すポインタ１２２２と、同一グループに属する他の撮影画像の撮影位置を示すポインタ１２２１、１２２３とが埋め込まれてプリントされている。図４（ｂ）の写真プリント２２２は、図４（ａ）の写真プリント２２１と比較して、同一グループに属する３つの撮影画像の撮影位置の差が大きいので、図４（ａ）の写真プリント２２１の地図画像２１１の縮尺（例えば1/75000）よりも小さな縮尺（例えば1/30万）が選択されて、その地図画像２１２がプリントされている。
【００４３】
地図画像２１１、２１２に埋め込まれたポインタ１２１１乃至１２１３と１２２１乃至１２２３は、それぞれ番号付きであり、番号によりグループ内での撮影順を示している。このような番号付きのポインタにより、撮影した経路を知ることができる。例えば、旅行の経路や、ウォーキングの経路などを一望できる。また、表面にプリントされた画像の撮影位置を示すポインタ１２１２（白抜き数字表示）と他の画像の撮影位置を示すポインタ１２１１、１２１３（黒数字表示）とは異なる形態でプリントされている。このようにポインタの形態により経路上での撮影位置の位置関係を的確に把握することができる。
【００４４】
なお、図４（ａ）及び（ｂ）では、１枚の写真プリントにそれぞれ１つの地図画像をプリントした場合を示したが、互いに縮尺が異なる複数の地図画像を１枚の写真プリントにプリントするようにしてもよい。
【００４５】
図５（ａ）は、日本国内に居住するユーザが日本国内を移動しながら被写体を撮影した場合の写真プリント２２３を示し、図５（ｂ）は、日本国内に居住するユーザが外国で移動しながら被写体を撮影した場合の写真プリント２２４を示す。具体的には、図５（ａ）の写真プリント２２３では、日本国内の詳細地図画像２１３ａと広域地図画像２１３ｂとが裏面にプリントされており、図５（ｂ）の写真プリント２２３では、イタリア国内の詳細地図画像２１４ａとイタリア全土を示す広域地図画像２１４ｂとがプリントされている。図５（ａ）において、詳細地図画像２１３ａ及び広域地図画像２１３ｂに埋め込まれたポインタ１２１１乃至１２１３、１２３２は、それぞれ番号付きであり、番号によりグループ内での撮影順を示している。同様に、図５（ｂ）において、詳細地図画像２１４ａ及び広域地図画像２１４ｂに埋め込まれたポインタ１２４１乃至１２４５、１２５４は、それぞれ番号付きであり、番号によりグループ内での撮影順を示している。これらの番号付きのポインタにより、撮影した経路を一望できる。また、表面にプリントされた画像の撮影位置を示すポインタ（白抜きで数字表示）と他の画像の撮影位置を示すポインタ（黒数字表示）とは異なる形態でプリントされている。このようにポインタの形態により経路上での撮影位置の位置関係を的確に把握することができる。
【００４６】
本実施形態のプリント装置１におけるプリント制御処理を実施例１乃至３に分けて説明する。なお、以下では、図３に示すように、撮影装置４によって撮影された撮影画像（第１の撮影画像３００ａ、第２の撮影画像３００ｂ、第３の撮影画像３００ｃ）にそれぞれヘッダ３１０ａ、３１０ｂ、３１０ｃを付加した、３つの画像ファイル３０ａ、３０ｂ、３０ｃを取得したものとして説明する。
【００４７】
まず、プリント制御処理の実施例１の流れを図６のフローチャートを用いて説明する。図６に示す各ステップは制御部１０によってプログラムに従い実行される。
【００４８】
図６において、被写体が撮影された複数の撮影画像を取得する（Ｓ２）。具体的には、撮影装置４が生成した３つの画像ファイル（図３の３０ａ、３０ｂ、３０ｃ）を取得する。取得した複数の撮影画像を表示部１６に一覧表示し、操作部１７によるグループ指定とプリント対象画像の選択を受け付ける（Ｓ４）。ここで、３つの撮影画像３００ａ、３００ｂ、３００ｃがひとつのグループとして指定されるとともに、第２の撮影画像３００ｂがプリント対象の画像として選択されたものとする。
【００４９】
指定されたグループに属する画像ファイル３０ａ、３０ｂ、３０ｃからそれぞれ撮影位置情報３１１を取得し（Ｓ６）、取得した撮影位置情報３１１に基づいて地図画像の縮尺を決定する（Ｓ８）。例えば、地図情報ＤＢ２１が、1/21000、1/75000、1/15万、1/30万及び1/90万の各縮尺の地図画像を記憶している場合、これらの地図画像の中から３つの撮影画像３００ａ、３００ｂ、３００ｃの間の撮影位置情報３１１の差に基づいて、３つの撮影位置を包含する最適な縮尺の地図画像が選択される。
【００５０】
次に、プリント対象画像の撮影位置に対応する地図画像であって、決定した縮尺で形成された地図画像を地図情報ＤＢ２１から検索し（Ｓ１０）、検出した地図画像に撮影位置を埋め込んで（Ｓ１２）、選択された撮影画像をプリント媒体の表面にプリントするとともに、地図画像をプリント媒体の裏面にプリントする（Ｓ１４）。
【００５１】
例えば、図３に示す写真プリント２２１のように、表面２２１１には第２の撮影画像３００ｂがプリントされるとともに、裏面２２１２には第２の撮影画像３００ｂの撮影位置を示すポインタ１２１２と他の撮影画像３００ａ、３００ｃの撮影位置を示すポインタ１２１１、１２１３が埋め込まれた地図画像２１１がプリントされる。図５（ａ）に示すように詳細地図画像２１３ａと広域地図画像２１３ｂとを裏面にプリントするようにしてもよい。
【００５２】
次に、プリント制御処理の実施例２の流れを図７のフローチャートを用いて説明する。図７に示す各ステップは制御部１０によってプログラムに従い実行される。
【００５３】
実施例１では操作部１７によるグループ指定を受け付ける場合を説明したが、実施例２ではプリント装置１側で撮影画像のグループ化（グループ処理）を行う。すなわち、複数の画像を取得すると（Ｓ２）、取得した複数の画像をグループ化する（Ｓ２４）。なお、図３に示すように画像にヘッダを付加した３つの画像ファイル３０ａ、３０ｂ、３０ｃを取得した場合、撮影位置の差が所定の閾値以内であり撮影年月日が同じであれば同一のグループに分類する。以降のステップＳ６乃至Ｓ１４は実施例１と同様であり、実施例１において説明したので、説明を省略する。
【００５４】
次に、プリント制御処理の実施例３の流れを図８のフローチャートを用いて説明する。図８に示す各ステップは制御部１０によってプログラムに従い実行される。
【００５５】
実施例１では撮影位置情報に基づいて地図画像の縮尺を決定する場合を説明したが、実施例３では被写体距離情報に基づいて地図画像の縮尺を決定する。すなわち、画像ファイルを取得することにより複数の撮影画像を取得し（Ｓ２）、プリント対象画像が選択されると（Ｓ３２）、選択された撮影画像３００を含む画像ファイル３０のヘッダ３１０から撮影位置情報３１１とともに被写体距離情報３１３を取得し（Ｓ３６）、この被写体距離情報３１３に基づいて地図画像の縮尺を決定する（Ｓ３８）。被写体距離が大きいほど縮尺を小さくする。風景画像のように被写体距離が無限遠の場合には、撮影領域が広いので、地図画像の縮尺が小さい方が撮影場所を大局的に理解できることになる。
【００５６】
ステップＳ１０乃至Ｓ１４は実施例１と同様であり、実施例１において説明したので、説明を省略する。
【００５７】
なお、実施例１乃至３では、図２に示すような画像３００にヘッダ３１０を付加した画像ファイル３０を取得する場合を例に説明したが、本発明はこのような場合に限定されるものではなく、画像３００を含む画像ファイル（図示を省略）と関連付けられた別のファイルであって、撮影位置情報３１１、撮影日時情報３１２及び被写体距離情報３１３を含む撮影情報ファイル（図示を省略）を画像ファイルとともに画像取得部１１が取得するようにしてもよい。このような場合、撮影日時情報取得部１３、撮影位置情報取得部１２及び被写体距離情報取得部１４は、それぞれ撮影位置情報３１１、撮影日時情報３１２及び被写体距離情報３１３を撮影情報ファイルから取得する。
【００５８】
また、以上の説明では、写真プリントの表面に撮影画像をプリントして裏面に地図画像をプリントする場合を例に説明したが、写真プリントの一方の面に撮影画像と地図画像とをプリントするようにしてもよい。
【００５９】
また、撮影位置情報３１１は、ＧＰＳ以外に、ＵＷＢ（Ultra Wide Band）無線システムを用いて得てもよい。すなわち、ＵＷＢ無線システムによってユーザの位置を高精度に測位した情報を用いて、地図プリントする。
【図面の簡単な説明】
【００６０】
【図１】本発明を適用したプリント装置の概略構成を示すブロック図
【図２】撮影装置が生成した画像ファイルとそのヘッダの説明に用いる説明図
【図３】画像ファイル、地図画像及び写真プリントの関係の説明に用いる説明図
【図４】第１の縮尺の地図画像をプリントした写真プリントと第２の縮尺の地図画像をプリントした写真プリントの例を示す図
【図５】詳細地図画像及び広域地図画像の両方をプリントした写真プリントの例を示す図
【図６】プリント制御処理の実施例１の流れを示すフローチャート
【図７】プリント制御処理の実施例２の流れを示すフローチャート
【図８】プリント制御処理の実施例３の流れを示すフローチャート
【符号の説明】
【００６１】
１…プリント装置、１０…制御部、１１…画像取得部、１２…撮影位置情報取得部、１３…撮影日時情報取得部、１４…被写体距離情報取得部、１６…表示部、１７…操作部、１８…グループ処理部、１９…縮尺決定部、２０…地図情報検索部、２１…地図情報データベース、２２…プリント部、３０（３０ａ、３０ｂ、３０ｃ）…画像ファイル、３００（３００ａ、３００ｂ、３００ｃ）…撮影画像、３１０（３１０ａ、３１０ｂ、３１０ｃ）…撮影画像に付加されたヘッダ、２２１、２２２、２２３、２２４…写真プリント
【図１】
2006033274.tif 000003
【図２】
2006033274.tif 000004
【図３】
2006033274.tif 000005
【図４】
2006033274.tif 000006
【図５】
2006033274.tif 000007
【図６】
2006033274.tif 000008
【図７】
2006033274.tif 000009
【図８】
2006033274.tif 000010